(57)【要約】
【課題】　レンズキャップをフロントパネルと干渉させることなくフォーカスリングに容易に装着することができるプロジェクタを提供する。
【解決手段】　プロジェクタのレンズキャップ４は、レンズを覆う前面部４ａと筒状の側面部４ｂとによって構成される。前面部４ａには、所定のひも保持部材が装着される開口部が形成されている。そのひも保持部材５は１対の係止部、ひも挿通部、覆い部および案内溝を備えて構成される。１対の係止部は、レンズキャップ４に設けられた開口部に係止される。ひも挿通部にはひも６が挿通されて、ひも６の結び目によりひも６が抜けるのを阻止してひも６を留めている。覆い部はひも保持部材５が開口部に装着された状態で開口部を覆う。案内溝は覆い部の裏面側に形成されて、レンズキャップ４の前面部４ａを挟んで裏側から表側へひも６を案内する。
【選択図】　　　　図４
0003099643.tif 000002
【実用新案登録請求の範囲】
【請求項１】
　映像を投影するためのレンズ部と、
　前記レンズ部を露出するレンズ開口部を有して配設されたフロントパネルと、
　前記フロントパネルから前方に突出しないように前記レンズ部に装着されたフォーカスリングと、
　前記レンズ部を覆う前面部および前記前面部の外周に沿って形成され前記フォーカスリングを周方向から覆う筒状の側面部を含むレンズキャップと、
　前記レンズキャップの前記前面部に形成された所定の開口部と、
　前記レンズキャップの前記開口部に装着されるひも保持部材と、
　一端と他端とを結ぶことで結び目を有するリング状とされ、前記ひも保持部材と前記フロントパネルとを繋ぐひもと、
を含み、
　前記ひも保持部材は、
　前記レンズキャップに形成された前記開口部を覆う覆い部と、
　前記覆い部から一方に突出するように形成され、前記開口部に挿通することにより前記レンズキャップに係止される１対の係止部と、
　前記１対の係止部によって挟まれた前記覆い部の部分から一方に突出するように形成され、リング状の前記ひもを一方向に延ばした状態で挿通されて結び目により前記ひもが抜けるのを阻止して留めるひも挿通部と、
　前記覆い部の一方の側に設けられ、前記ひも保持部材が前記開口部に装着された状態で前記レンズキャップの前記前面部を挟んで一方の側から他方の側へ前記ひもを案内するための案内溝と、
を備え、
　前記フロントパネルは、前記ひもの結び目が位置する側と反対の側を留めるための留め輪を備えた、プロジェクタ。
【請求項２】
　フロントパネルを有するプロジェクタ本体と、
　前記フロントパネルの所定の位置において露出するように配設されたレンズ部と
　前記レンズ部を保護するためのレンズキャップと、
　前記レンズキャップと前記プロジェクタ本体とを繋ぐひもと、
を有し、
　前記レンズキャップは、前面部および前記前面部の外周に沿って形成された筒状の側面部を備え、
　前記ひもは前記レンズキャップとは前記前面部において繋がれた、プロジェクタ。
【請求項３】
　前記レンズキャップの前記前面部に装着され、前記ひもの一端を保持するひも保持部材を備えた、請求項２記載のプロジェクタ。
【請求項４】
　前記前面部に形成され、前記ひも保持部材を係止して装着するための開口部を備え、
　前記ひも保持部材は、前記開口部を覆う覆い部を備え、
　前記ひもは、前記覆い部の前記開口部側の部分に保持された、請求項３記載のプロジェクタ。
【請求項５】
　前記ひも保持部材は、
　前記覆い部から一方に突出するように形成され、前記開口部に挿通することにより前記レンズキャップに係止される１対の係止部と、
　前記１対の係止部によって挟まれた前記覆い部の部分から一方に突出するように形成され、前記ひもが挿通されるひも挿通部と、
　前記覆い部の一方の側に設けられ、前記ひも保持部材が前記開口部に装着された状態で前記レンズキャップの前記前面部を挟んで一方の側から他方の側へ前記ひもを案内するための案内溝と、
を備えた、請求項４記載のプロジェクタ。
【請求項６】
　前記ひもは一端と他端とを結ぶことで結び目を有するリング状とされ、
　前記ひもは、リング状の前記ひもを一方向に延ばした状態で結び目が位置する側とは反対の側から前記ひも挿通部に挿通されて、結び目により前記ひも挿通部から抜けるのを阻止して留められ、
　前記プロジェクタ本体は、前記ひもの結び目が位置する側と反対の側を留めるための留め輪を備えた、請求項５記載のプロジェクタ。
【請求項７】
　前記レンズ部に装着されたフォーカスリングを備え、
　前記フォーカスリングは前記フロントパネルから前方に突出しないように配設された、請求項２〜６のいずれかに記載のプロジェクタ。
【考案の詳細な説明】
【技術分野】
【０００１】
　本考案はプロジェクタに関し、特に、レンズキャップを備えたプロジェクタに関するものである。
【背景技術】
【０００２】
　スクリーンに映像を映し出すための装置の一つにプロジェクタがある。図９に示すように、そのようなプロジェクタ１０１には、映像を投射するためのレンズ１０２が装着されている。さらに、そのレンズ１０２には焦点を合わせるためのフォーカスリング１０３が装着されている。プロジェクタ１０１を使用しない場合には、レンズ１０２を保護するためにフォーカスリング１０３に所定のレンズキャップが装着されることになる。
【０００３】
　そのようなレンズ１０２を保護するためのレンズキャップの一例として、特許文献１に記載されたレンズキャップについて説明する。図１０に示すように、レンズキャップ１０４は、レンズ１０２を覆う前面部１０４ａと、その前面部１０４ａの外周に沿って設けられた筒状の側面部１０４ｂとによって構成される。その側面部１０４ｂにはひもを留めるためのひも留め部１０４ｃが形成されている。
【０００４】
　このプロジェクタ１０１では、そのひも留め部１０４ｃにプロジェクタ１０１と繋がれたひも１０６を挿通することによって、レンズキャップ１０４を紛失させない構造が採られている。
【特許文献１】特開平４−９４２７１号公報
【考案の開示】
【考案が解決しようとする課題】
【０００５】
　しかしながら、従来のプロジェクタでは次のような問題点があった。図１０に示すように、レンズキャップ１０４においては、ひも留め部１０４ｃは側面部１０４ｂから外方に向かって突出するように形成されている。
【０００６】
　一方、プロジェクタ１０１においては、図１１に示すように、レンズの保護やデザイン上の観点からレンズをフロントパネル１０１ａから突出させない構造が採用されることがある。
【０００７】
　このようなプロジェクタ１０１では、フォーカスリング１０３とフロントパネル１０１ａとの隙間が比較的狭いために、レンズキャップ１０４をフォーカスリング１０３に装着する際に、ひも留め部１０４ｃがフロントパネル１０１ａと干渉することがあった。
【０００８】
　また、このような干渉を避けようとすると、レンズキャップ１０４の取り付け位置（円周方向）が制約されることがあった。
【０００９】
　本考案は上記問題点を解決するためになされたものであり、その目的はレンズキャップをフロントパネルと干渉させることなくフォーカスリングに容易に装着することができるプロジェクタを提供することである。
【課題を解決するための手段】
【００１０】
　本考案に係るプロジェクタは、レンズ部とフロントパネルとフォーカスリングとレンズキャップと所定の開口部とひも保持部材とひもとを含んでいる。レンズ部は映像を投影する。フロントパネルは、レンズ部を露出するレンズ開口部を有して配設されている。フォーカスリングは、フロントパネルから前方に突出しないようにレンズ部に装着されている。レンズキャップは、レンズ部を覆う前面部およびその前面部の外周に沿って形成されフォーカスリングを周方向から覆う筒状の側面部を含んでいる。所定の開口部はレンズキャップの前面部に形成されている。ひも保持部材はレンズキャップの開口部に装着されている。ひもは、一端と他端とを結ぶことで結び目を有するリング状とされ、ひも保持部材とフロントパネルとを繋いでいる。そのひも保持部材は、覆い部と１対の係止部とひも挿通部と案内溝とを備えている。覆い部はレンズキャップに形成された開口部を覆っている。１対の係止部は覆い部から一方に突出するように形成され、開口部に挿通することによりレンズキャップに係止される。ひも挿通部は１対の係止部によって挟まれた覆い部の部分から一方に突出するように形成され、リング状のひもを一方向に延ばした状態で挿通されて結び目によりひもが抜けるのを阻止してひもを留める。案内溝は覆い部の一方の側に設けられ、ひも保持部材が開口部に装着された状態でレンズキャップの前面部を挟んで一方の側から他方の側へひもを案内する。フロントパネルは、ひもの結び目が位置する側と反対の側を留めるための留め輪を備えている。
【００１１】
　この構造によれば、レンズキャップとフロントパネルとを繋ぐひもは、レンズキャップとはレンズキャップの前面部に形成された開口部に装着されるひも保持部材に留められることになる。これにより、従来のプロジェクタと比べると、特に、フロントパネルから前方に突出させないようにフォーカスリングが配設される場合においても、ひも保持部材がフロントパネルと干渉することがなくなる。その結果、レンズキャップの取り付け位置が制約されることがなくなって、容易にレンズキャップをフォーカスリングに装着することができる。また、フロントパネル等のデザインの変更に対しても、デザインに制約されることなくレンズキャップをフォーカスリングに装着することができる。さらに、レンズキャップの所定の箇所にひもの位置を合わせたうえで成型を行うことで形成される従来のプロジェクタの場合と比較すると、ひも保持部材はレンズキャップとは別に成型され、レンズキャップには開口部を形成して、その開口部にひもを挿通したひも保持部材を係止すればよく、コストの削減を容易に図ることができる。
【００１２】
　本考案に係る他のプロジェクタは、プロジェクタ本体とレンズ部とレンズキャップとひもとを有している。プロジェクタ本体はフロントパネルを有している。レンズ部はフロントパネルの所定の位置において露出するように配設されている。レンズキャップはレンズ部を保護する。ひもはレンズキャップとプロジェクタ本体とを繋いでいる。レンズキャップは、前面部および前面部の外周に沿って形成された筒状の側面部を備えている。ひもは、レンズキャップとは前面部において繋がれている。
【００１３】
　この構造によれば、レンズキャップとフロントパネルとを繋ぐひもは、レンズキャップとはレンズキャップの前面部において繋がれている。これにより、従来のプロジェクタと比べると、レンズキャップにおいてひもが繋がれている部分がフロントパネルと干渉することがなくなる。その結果、レンズキャップの取り付け位置が制約されることがなくなって、容易にレンズキャップをレンズ部に装着することができる。
【００１４】
　レンズキャップの前面部においてひもを繋ぐために、レンズキャップの前面部に装着され、ひもの一端を保持するひも保持部材を備えていることが好ましい。
【００１５】
　これにより、ひもは前面部に容易に繋がれる。
【００１６】
　また、ひも保持部材を前面部に装着するには、前面部に形成され、ひも保持部材を係止して装着するための開口部を備え、ひも保持部材は開口部を覆う覆い部を備え、ひもはその覆い部の開口部側の部分に保持されていることが好ましい。
【００１７】
　さらに具体的には、ひも保持部材は、覆い部から一方に突出するように形成され、開口部に挿通することによりレンズキャップに係止される１対の係止部と、１対の係止部によって挟まれた覆い部の部分から一方に突出するように形成され、ひもが挿通されるひも挿通部と、覆い部の一方の側に設けられ、ひも保持部材が開口部に装着された状態でレンズキャップの前面部を挟んで一方の側から他方の側へひもを案内するための案内溝とを備えていることがより好ましい。
【００１８】
　この場合には、１対の係止部を開口部に挿通することによってひも保持部材が容易にレンズキャップに係止される。そして、この状態において、ひも挿通部に留められたひもが案内溝によりレンズキャップの一方の側から他方の側へ案内されることになる。
【００１９】
　さらに、ひもは一端と他端とを結ぶことで結び目を有するリング状とされ、そして、そのひもは、リング状のひもを一方向に延ばした状態で結び目が位置する側とは反対の側からひも挿通部に挿通されて、結び目によりひも挿通部から抜けるのを阻止して留められ、プロジェクタ本体は、ひもの結び目が位置する側と反対の側を留めるための留め輪を備えていることが好ましい。
【００２０】
　これにより、ひもを結ぶという簡単な作業によって、レンズキャップとプロジェクタ本体とを繋ぐことができる。
【００２１】
　さらに、レンズ部に装着されたフォーカスリングを備え、フォーカスリングはフロントパネルから前方に突出しないように配設されている場合においても、レンズキャップにおいてひもが繋がれている部分がフロントパネルと干渉することがなくなって、容易にレンズキャップをレンズ部に装着することができる。
【考案を実施するための最良の形態】
【００２２】
　本考案の実施例に係るプロジェクタについて説明する。図１に示すように、プロジェクタのフォーカスリングに装着されるレンズキャップ４は、レンズを覆う前面部４ａと、その前面部４ａの外周に沿って設けられた筒状の側面部４ｂとによって構成される。その前面部４ａには、所定のひも保持部材が装着される開口部４ｃが形成されている。
【００２３】
　図２および図３に示すように、そのひも保持部材５は１対の係止部５ａ、ひも挿通部５ｂ、覆い部５ｃおよび案内溝５ｄを備えて構成される。１対の係止部５ａは、レンズキャップ４に設けられた開口部４ｃに係止される。ひも挿通部５ｂにはひも６が挿通されて、ひも６の結び目６ａによりひも６が抜けるのを阻止してひも６が留められる。覆い部５ｃはひも保持部材５が開口部４ｃに装着された状態で開口部４ｃを覆う。案内溝５ｄは覆い部５ｃの裏面側に形成され、ひも保持部材５が開口部４ｃに装着された状態でレンズキャップ４の前面部４ａを挟んで裏側から表側へひも６を案内する。
【００２４】
　次に、ひも６をひも保持部材５に保持する手順について説明する。図２に示すように、ひも６として、１本のひもの一端と他端とを結ぶことで結び目６ａを有するリング状とされたひもが使用される。
【００２５】
　そのリング状とされたひも６を一方向に延ばした状態で、結び目６ａが位置する側と反対の側（反結び目側）からひも６がひも挿通部５ｂに挿通される。このとき、ひも挿通部５ｂには２本分のひもが挿通される状態と同じ状態でひも６が挿通されることになる。
【００２６】
　そのひも６を反結び目側から引張ることによって結び目６ａがひも挿通部５ｂに達すると、ひも６はそれ以上挿通されることはなくなって、ひも６が抜けるのが阻止される。このようにして、ひも６がひも保持部材５に留められることになる。
【００２７】
　次に、ひも保持部材５の１対の係止部５ａをレンズキャップ４に設けられた開口部４ｃに挿通することにより、図４〜図６に示すように、１対の係止部５ａが前面部４ａに係止されてひも保持部材５が開口部４ｃに装着される。このとき、ひも保持部材５に形成された案内溝５ｄによって、レンズキャップ４の前面部４ａの内側から外側へひも６が案内されることになる。
【００２８】
　次に、ひも６の反結び目側を、フロントパネル１ａに設けられた留め輪１ｂに挿通して大きな輪を作り、その輪にレンズキャップ４を通してレンズキャップ４の側を引っ張ることによって、図７に示すように、ひも６の反結び目側が留め輪１ｂに留められることになる。
【００２９】
　最後に、レンズキャップ４をフォーカスリングに装着してレンズキャップ４の取付け作業が完了する。
【００３０】
　上述したプロジェクタ１では、レンズキャップ４とフロントパネル１ａとを繋ぐひも６は、レンズキャップ４とはレンズキャップの前面部４ａに形成された開口部４ｃに装着されるひも保持部材５に留められることになる。
【００３１】
　これにより、従来のプロジェクタのように、ひも留め部１０４ｃがレンズキャップ１０４の側面部１０４ｂに形成された場合と比べると、ひも保持部材５がフロントパネル１ａのうち、特にレンズを露出するレンズ開口部１ｃの部分と干渉することがなくなる。
【００３２】
　その結果、レンズキャップ４の取り付け位置（円周方向）が制約されることがなくなって、容易にレンズキャップ４をフォーカスリング３に装着することができる。
【００３３】
　特に、プロジェクタ１のレンズを保護する観点およびデザイン上の観点から、プロジェクタ１にはフロントパネル１ａから前方に突出させないようにレンズおよびフォーカスリングが配設される場合がある。
【００３４】
　この場合には、図８に示すように、レンズ２およびフォーカスリング３の前端部は、フロントパネル１ａの位置と同じか、フロントパネル１ａの位置よりも後退させて配設されることになる。そのため、フォーカスリング３の周囲にはフロントパネル１ａのレンズ開口部１ｃが位置して、フォーカスリング３とフロントパネル１ａとの隙間が比較的狭くなる。
【００３５】
　そのような形態であっても、ひも６がレンズキャップの前面部４ａに形成された開口部４ｃに装着されるひも保持部材５に留められることで、レンズキャップ４とフロントパネル１ａとの干渉がなくなって、レンズキャップ４を確実にかつ容易にフォーカスリング３に装着することができる。
【００３６】
　しかも、フロントパネル１ａ等のデザインの変更に対しても、デザインに制約されることなくレンズキャップ４をフォーカスリング３に装着することができる。また、レンズキャップ４に設けた開口部４ｃにひも保持部材５が装着されることで、レンズキャップ４そのもののデザインの自由度も増す。
【００３７】
　さらに、ひも保持部材５を用意して、これをレンズキャップ４に設けた開口部４ｃに装着させる態様を採用することによって、一体成型されたものと比べて次のような効果が得られることになる。すなわち、一体成型ではレンズキャップの所定の箇所にひもの位置を合わせたうえで成型が行われる。このとき、ひもが取付けられる部分が比較的小さく、そして、そのような部分にひもの位置を合わせるのに手間を要するためにコストの削減を図るのに支障となる。
【００３８】
　一方、上述したプロジェクタでは、ひも保持部材５はレンズキャップ４とは別に成型され、そして、レンズキャップ４には開口部４ｃを形成して、その開口部４ｃにひも保持部材５を係止する際に、ひもを結ぶという簡単な作業を行えばよく、コストの削減を容易に図ることができる。
【００３９】
　また、レンズキャップ４に形成された開口部４ｃは、ひも保持部材５の覆い部５ｃによって覆われるため、開口部４ｃからレンズキャップ４の内側へ埃等が侵入するのを阻止することができる。
【００４０】
　あるいは、また、プロジェクタ１の使用の際に、レンズキャップ４が取り外されてテーブル上等に載置された場合に、たとえば液体がレンズキャップ４の上でこぼれるようなことがあっても、覆い部５ｃによって開口部４ｃから液体が浸入するようなこともない。
【産業上の利用可能性】
【００４１】
　本考案は、レンズキャップを備えたプロジェクタにおいて、レンズキャップの装着を容易にする構造に有効に利用される。
【図面の簡単な説明】
【００４２】
【図１】本考案の実施例に係るプロジェクタに使用されるレンズキャップを示す斜視図である。
【図２】同実施例において、ひもの一部とひも保持部材とを示す斜視図である。
【図３】同実施例において、ひも保持部材を示す他の斜視図である。
【図４】同実施例において、ひも保持部材が装着されたレンズキャップを示す斜視図である。
【図５】同実施例において、図４に示す断面線Ｖ−Ｖにおける断面図である。
【図６】同実施例において、図４に示す断面線ＶＩ−ＶＩにおける断面図である。
【図７】同実施例において、レンズキャップを取付けた状態のプロジェクタを示す正面図である。
【図８】同実施例において、レンズキャップを取付けた状態のプロジェクタを示す上面図である。
【図９】従来のプロジェクタを示す斜視図である。
【図１０】従来のプロジェクタに使用されるレンズキャップを示す斜視図である。
【図１１】レンズキャップを取付けた状態の従来のプロジェクタを示す斜視図である。
【符号の説明】
【００４３】
　１　プロジェクタ、１ａ　フロントパネル、１ｂ　留め輪、１ｃ　レンズ開口部、２　レンズ、３　フォーカスリング、４　レンズキャップ、４ａ　前面部、４ｂ　側面部、４ｃ　開口部、５　ひも保持部材、５ａ　係止部、５ｂ　ひも挿通部、５ｃ　覆い部、５ｄ　案内溝、６　ひも、６ａ　結び目。
【図１】
0003099643.tif 000003
【図２】
0003099643.tif 000004
【図３】
0003099643.tif 000005
【図４】
0003099643.tif 000006
【図５】
0003099643.tif 000007
【図６】
0003099643.tif 000008
【図７】
0003099643.tif 000009
【図８】
0003099643.tif 000010
【図９】
0003099643.tif 000011
【図１０】
0003099643.tif 000012
【図１１】
0003099643.tif 000013